(57)【特許請求の範囲】
【請求項１】
入力された画像信号に基づいて画像を表示する表示面を有し、投射型表示装置と、前記投射型表示装置で生成される画像を投射する透過型スクリーンと、を備える表示ユニットと、
前記表示面上の画像の実像として空間像を生成する結像レンズと、
前記結像レンズから射出される光の光路上に設けられたハーフミラーからなる第１の反射手段と、
前記透過型スクリーンと前記結像レンズとの間に設けられたミラーからなる第２の反射手段と、
を備え、
前記実像としての空間像が、前記第１の反射手段の光射出側に生成され、
前記結像レンズの光射出側から前記実像としての空間像を視認可能としたことを特徴とするプロンプター。
【請求項２】
前記透過型スクリーンが、拡散板と、前記拡散板の両面にそれぞれ設けられたフレネルレンズと、を備えたことを特徴とする請求項１に記載のプロンプター。
【請求項３】
前記表示ユニットの少なくとも一部と前記結像レンズとを保持する筐体を備えたことを特徴とする請求項１または２に記載のプロンプター。
【請求項４】
前記筐体に、前記空間像の生成位置を示す指標が備えられたことを特徴とする請求項３に記載のプロンプター。
【発明の詳細な説明】
【技術分野】
【０００１】
本発明は、プロンプターに関する。
【背景技術】
【０００２】
プロンプターは、例えば講演会等において講演者を補助するために、講演者が聴衆の方向を向いたまま原稿を読むことができるようにした装置である。プロンプターは、画像を生成する表示装置に液晶パネルが用いられることが多いが、液晶パネルは一般的に輝度が低く、射出される光の拡散角が広いため、明るい画像を表示するのが難しい。また、ハーフミラーを通して講演者から聴衆が見えるように、もしくは聴衆から講演者が見えるように、ハーフミラーの反射率が低めに抑えられている。そのため、会場が明るいと画像が見にくいという問題があった。
【０００３】
そこで、上記の問題を解決するために、下記の特許文献１では、投射型画像表示装置からの投射光を結像レンズによりスクリーン上に結像させて画像を生成し、ハーフミラーで反射した画像を講演者が見るようにしたプロンプターが開示されている。特許文献１には、このプロンプターでは、投射光を結像レンズの作用により近距離に配置されたスクリーン上に結像させるので、反射率が低いハーフミラーを介しても明るい画像を観察することができる、と記載されている。
【先行技術文献】
【特許文献】
【０００４】
【特許文献１】特開２００４−１０４５６６号公報
【発明の概要】
【発明が解決しようとする課題】
【０００５】
しかしながら、特許文献１には、近距離に配置されたスクリーンと記載されているものの、聴衆からスクリーンが目立たないようにするためにスクリーンをあまり高い位置に設置することができず、床面に近い位置に設置することになる。また、講演者の前に演台が設置されている場合には、演台を跨いだ位置にスクリーンを設置することになる。そのため、スクリーンからハーフミラーで反射して講演者の目に至るまでの光の光路長は長くならざるを得ない。このプロンプターの構成において、講演者から見える像は、ハーフミラーで反射してできるスクリーン上の像の虚像であるため、ハーフミラーとスクリーンとの間の距離と同じだけ、目とハーフミラーとを結ぶ直線を延長した延長線上の先の位置に見えることになる。
【０００６】
このように、特許文献１のプロンプターでは、講演者は自身からかなり遠い位置に形成される虚像を見るため、大きい文字で原稿を表示せざるを得なかった。そのため、表示する情報量を増やすためには表示画面を頻繁に切り替えなければならない、という煩わしさがあった。また、講演者が近視の場合には、表示する文字をさらに大きくする必要があり、情報量がさらに減ってしまうという課題があった。
【０００７】
本発明は、上記の課題を解決するためになされたものであって、表示する情報量を多くすることができるプロンプターを提供することを目的とする。
【課題を解決するための手段】
【０００８】
上記の目的を達成するために、本発明のプロンプターは、入力された画像信号に基づいて画像を表示する表示面を有する表示ユニットと、前記表示面上の画像の実像として空間像を生成する結像レンズと、を備え、前記結像レンズの光射出側から前記実像としての空間像を視認可能としたことを特徴とする。
【０００９】
本発明によれば、使用者は、結像レンズの光射出側から実像としての空間像を視認できるので、使用者が見る像の位置が従来のプロンプターに比べて使用者に近くなる。これにより、従来に比べて文字等の情報の大きさを小さくでき、多くの情報を表示することができる。また、使用者が近視の場合でも表示する画像を見やすくすることができる。
【００１０】
本発明のプロンプターにおいて、前記表示ユニットが複数設けられ、前記結像レンズが、前記複数の表示ユニットから射出される複数の光をそれぞれ結像させ、複数の画像の実像として複数の空間像を生成する構成としても良い。
この構成によれば、複数の空間像を、位置を変えて表示することができるため、複数種の情報を同時に表示し、使用者は必要な情報を選択的に見ることができる。
【００１１】
本発明のプロンプターにおいて、前記表示ユニットは、投射型表示装置と、前記投射型表示装置で生成される画像が投射される透過型スクリーンと、を備えた構成とすることが望ましい。
この構成によれば、透過型スクリーンから射出された光を結像レンズに入射させれば良いため、投射型表示装置で投射した像を鑑賞する一般のスクリーンと比べて、視野角をはるかに狭くすることができ、その結果、スクリーンゲインを高くすることができる。そのため、投射型表示装置の光出力を大きくすることなく、明るい画像が得られる。また、画像の明るさが従来と同じで良い場合には、投射型表示装置の光出力を小さくすることができ、消費電力を低減することができる。
【００１２】
本発明のプロンプターにおいて、前記透過型スクリーンが、拡散板と、前記拡散板の両面にそれぞれ設けられたフレネルレンズと、を備えた構成とすることが望ましい。
この構成によれば、透過型スクリーンが２枚のフレネルレンズを備えているので、１枚のフレネルレンズを備えた場合と比べて各フレネルレンズの焦点距離を長くすることができる。これにより、フレネルレンズを構成する微小プリズムの頂角を大きくできるため、特にフレネルレンズの周辺部において入射角が大き過ぎることで反射光が生じる虞が小さくなる。
【００１３】
本発明のプロンプターにおいて、前記結像レンズの光軸に対する前記表示ユニットの光軸の位置を調整する光軸位置調整手段を備えた構成とすることが望ましい。
この構成によれば、光軸位置調整手段を用いて結像レンズの光軸に対する表示ユニットの光軸の位置を調整することにより、空間像の位置を使用者が見やすい位置に適宜調整することができる。
【００１４】
本発明のプロンプターにおいて、前記結像レンズの光軸に対する前記表示ユニットの光軸の方向を調整する光軸方向調整手段を備えた構成とすることが望ましい。
この構成によれば、光軸方向調整手段を用いて結像レンズの光軸に対する表示ユニットの光軸の方向を調整することにより、空間像の向きを使用者が見やすい向きに適宜調整することができる。例えば使用者から見て空間像が正対する向きに調整すれば、横向きの台形歪みが少ない状態で画像を見ることができる。
【００１５】
本発明のプロンプターにおいて、前記表示ユニットと前記結像レンズとを保持する筐体を備えた構成とすることが望ましい。
この構成によれば、筐体によって表示ユニットと結像レンズとの位置関係が固定されるとともに、表示ユニットと結像レンズを保護することができ、取り扱いがしやすいプロンプターを構成できる。
【００１６】
上記の目的を達成するために、本発明のプロンプターは、入力された画像信号に基づいて画像を表示する表示面を有し、投射型表示装置と、前記投射型表示装置で生成される画像を投射する透過型スクリーンと、を備える表示ユニットと、前記表示面上の画像の実像として空間像を生成する結像レンズと、前記結像レンズから射出される光の光路上に設けられたハーフミラーからなる第１の反射手段と、前記透過型スクリーンと前記結像レンズとの間に設けられたミラーからなる第２の反射手段と、を備え、前記実像としての空間像が、前記第１の反射手段の光射出側に生成され、前記結像レンズの光射出側から前記実像としての空間像を視認可能としたことを特徴とする。
この構成によれば、例えば講演者から見て演台を跨いだ位置に第１の反射手段を設置したとしても、空間像が第１の反射手段よりも講演者側に形成され、講演者と空間像との距離が短いため、文字等の情報の大きさを小さくして多くの情報を表示することができる。逆に言えば、空間像が第１の反射手段よりも講演者側に形成されるため、第１の反射手段を演台から離れた場所に配置することができ、第１の反射手段が邪魔になりにくい。
【００１７】
本発明のプロンプターにおいて、前記表示ユニットが、投射型表示装置と、前記投射型表示装置で生成される画像を投射する透過型スクリーンと、を備えた構成とすることが望ましい。
この構成によれば、透過型スクリーンから射出された光を結像レンズに入射させれば良いため、投射型表示装置で投射した像を鑑賞する一般のスクリーンと比べて、視野角をはるかに狭くすることができ、その結果、スクリーンゲインを高くすることができる。そのため、投射型表示装置の光出力を大きくすることなく、明るい画像が得られる。また、画像の明るさが従来と同じで良い場合には、投射型表示装置の光出力を小さくすることができ、消費電力を低減することができる。
【００１８】
本発明のプロンプターにおいて、前記透過型スクリーンが、拡散板と、前記拡散板の両面にそれぞれ設けられたフレネルレンズと、を備えた構成とすることが望ましい。
この構成によれば、透過型スクリーンが２枚のフレネルレンズを備えているので、１枚のフレネルレンズを備えた場合と比べて各フレネルレンズの焦点距離を長くすることができる。これにより、フレネルレンズを構成する微小プリズムの頂角を大きくできるため、特にフレネルレンズの周辺部において入射角が大き過ぎることで反射光が生じる虞が小さくなる。
【００１９】
本発明のプロンプターにおいて、前記表示ユニットの少なくとも一部と前記結像レンズとを保持する筐体を備えた構成とすることが望ましい。
この構成によれば、筐体によって表示ユニットの少なくとも一部と結像レンズとの位置関係が固定されるとともに、表示ユニットと結像レンズを保護することができ、取り扱いがしやすいプロンプターを構成できる。
【００２０】
本発明のプロンプターにおいて、前記筐体に、前記空間像の生成位置を示す指標が備えられた構成とすることが望ましい。
この構成によれば、指標を目安として使用者が空間像の位置に目のピントを合わせやすい。これにより、例えば使用者が空間像以外の場所を見ている状態から急遽空間像を見ようとする場合、空間像の位置を即座に把握して比較的容易に見ることができる。
【図面の簡単な説明】
【００２１】
【図１】本発明の第１実施形態のプロンプターの使用状態を示す図である。
【図２】本実施形態のプロンプターの構成を示す側面図である。
【図３】本実施形態のプロンプターの表示ユニットを示す斜視図である。
【図４】表示ユニットを構成するスクリーンを示す図であって、（Ａ）正面図、（Ｂ）（Ａ）のＡ−Ａ’線に沿う断面図である。
【図５】本実施形態のプロンプターの筐体を示す斜視図である。
【図６】本実施形態のプロンプターのフレネルレンズを示す図であって、（Ａ）正面図、（Ｂ）（Ａ）のＢ−Ｂ’線に沿う断面図である。
【図７】表示ユニットの取付部を示す斜視図である。
【図８】筐体の一面を構成する取付板を示す正面図である。
【図９】空間像の表示原理を説明するための図である。
【図１０】表示ユニットを移動したときの空間像の位置を示す図である。
【図１１】表示ユニットを傾けたときの空間像の向きを示す図である。
【図１２】複数の表示ユニットにおける複数の空間像の位置と向きを示す図である。
【図１３】講演者側から見た複数の空間像の位置と向きを示す図である。
【図１４】講演者からの画像の見え方を説明するための図である。
【図１５】本発明の第２実施形態のプロンプターの構成を示す側面図である。
【図１６】本発明の第３実施形態のプロンプターの表示ユニットを示す斜視図である。
【図１７】本発明の第４実施形態のプロンプターの構成を示す断面図である。
【図１８】本実施形態のプロンプターの表示ユニットを構成するスクリーンを示す断面図である。
【図１９】本実施形態のプロンプターのフレネルレンズを示す図であって、（Ａ）正面図、（Ｂ）（Ａ）のＣ−Ｃ’線に沿う断面図である。
【図２０】空間像の表示原理を説明するための図である。
【図２１】本発明の第５実施形態のプロンプターの構成を示す断面図である。
【図２２】本実施形態のプロンプターの筐体に設けられた指標を示す正面図である。
【図２３】本発明の第６実施形態のプロンプターの構成を示す断面図である。
【図２４】本発明の第７実施形態のプロンプターの構成を示す断面図である。
【図２５】従来のプロンプターの問題点を説明するための図である。
【発明を実施するための形態】
【００２２】
［第１実施形態］
以下、本発明の第１実施形態について、図１〜図１４を用いて説明する。
図１は、本実施形態のプロンプターの使用状態を示す図である。図２は、本実施形態のプロンプターの構成を示す側面図である。
なお、以下の全ての図面においては各構成要素を見やすくするため、構成要素によって寸法の縮尺を異ならせて示すことがある。
【００２３】
本実施形態のプロンプター１は、図１に示すように、講演会などの会場において聴衆席２の後方に設置されており、演台３の上方の講演者Ｋの視線方向に空間像Ｚを形成するものである。講演者Ｋは、プロンプター１の方向を見ることで空間像Ｚを見ることができ、講演の補助となる原稿の文字情報を空間像Ｚとして見ながら講演を行うことができる。講演者Ｋは、プロンプター１の方向を見ない限り、空間像Ｚを見ることはできない。よって、講演者Ｋの方を向いている聴衆からは空間像Ｚが見えないようになっている。
【００２４】
プロンプター１は、図２に示すように、表示ユニット４と、フレネルレンズ５（結像レンズ）と、筐体６と、を備えている。表示ユニット４は、プロジェクター７（投射型表示装置）と、スクリーン８と、から構成されている。講演者から見て手前側（光が射出される側）の面をプロンプター１の前面、講演者から見て奥側（光が射出される側と反対側）の面をプロンプター１の後面と呼ぶことにすると、プロンプター１の外殻を構成する筐体６の前面にフレネルレンズ５が設けられ、筐体６の後面には表示ユニット４が設置されている。
【００２５】
表示ユニット４は、図３に示すように、プロジェクター７と、スクリーン８と、底板９と、を備えている。プロジェクター７とスクリーン８とは、所定の間隔を空けて底板９の上に固定されている。プロジェクター７には、図示しないパーソナルコンピューターやカメラ等の機器が接続され、これらの機器から画像信号が入力される。プロジェクター７ではこの画像信号に基づいて画像が生成され、その画像がスクリーン８に投射される。底板９には、表示ユニット４を後述する取付治具に固定するためのネジ穴１０が設けられている。
【００２６】
スクリーン８は、図４（Ａ）、（Ｂ）に示すように、フレネルレンズ１１と拡散シート１２とが密着して貼り合わされたものであり、一種のリアスクリーンとして構成されている。スクリーン８は、フレネルレンズ１１の側がプロジェクター７を向くように設置されており、プロジェクター７からの投射光はフレネルレンズ１１に入射する。フレネルレンズ１１は複数のプリズム１３が微小な間隔で同心円状に設けられた構成であり、これら複数のプリズム１３が全体として凸レンズを構成している。なお、拡散シートの両面にフレネルレンズがそれぞれ貼り合わされたスクリーンを用いても良い。フレネルレンズを２枚備えたスクリーンを用いた場合、フレネルレンズが１枚の場合に比べて各フレネルレンズの焦点距離を長くできるため、各プリズムの頂角を大きくできる。そのため、特にフレネルレンズの周縁部に光が入射する際、入射角が大きすぎて反射光が生じるのを抑えやすくなる。
【００２７】
プロジェクター７から射出された投射光はスクリーン８に入射する前は拡散光であるが、フレネルレンズ１１の作用により光軸方向にある程度集束された状態で拡散シート１２に入射する。拡散シート１２では投射光が結像し、像が形成された後、予め設定された角度で投射光が拡散する。なお、フレネルレンズ１１は、空間像Ｚの見え方が最適になるように焦点距離を設定すれば良い。また、拡散シート１２の側がプロジェクター７を向くように設置され、プロジェクター７からの投射光が拡散シート１２に入射する構成であっても良い。その場合も上記とほぼ同等な機能を実現することができる。
【００２８】
筐体６は、図５に示すように、表示ユニット４とフレネルレンズ５とを保持する箱状の部材である。筐体６の前面は開口部１４となっており、天面と両側面には開閉可能な扉１５が設けられている。通常、使用状態では扉１５を閉じた状態とするが、扉１５を開けた状態とすれば、プロンプター１の使用者は例えば表示ユニット４の位置調整等の作業を行うことができる。筐体６の前面の開口部１４には、図２に示すように、フレネルレンズ５が嵌め込まれている。一方、筐体６の後面は後述する取付板１６となっており、取付板１６には取付治具１７を介して表示ユニット４が取り付けられている。
【００２９】
フレネルレンズ５は、図６（Ａ）、（Ｂ）に示すように、微小な間隔で同心円状に設けられた複数のプリズム１８を有している。フレネルレンズ５の基本構成はスクリーン８の一部を構成するフレネルレンズ１１と同様であるが、全体の寸法、各プリズム１８の寸法や焦点距離が異なっている。
【００３０】
取付治具１７（光軸位置調整手段、光軸方向調整手段）は、図７に示すように、固定部１９と、前後移動部２０と、左右移動部２１と、回転部２２と、を備えている。Ｌ字状の固定部１９の上面に矩形板状の前後移動部２０が設けられ、前後移動部２０の上面に矩形板状の左右移動部２１が設けられ、左右移動部２１の上面に円板状の回転部２２が設けられている。固定部１９の上面にはガイドレール２３が前後方向に延在しており、前後移動部２０とその上に載置された左右移動部２１および回転部２２とがガイドレール２３に沿って前後方向にスライドし、所定の位置で固定できる構成となっている。前後移動部２０の上面にはガイドレール２４が左右方向に延在しており、左右移動部２１とその上に載置された回転部２２とがガイドレール２４に沿って左右方向にスライドし、所定の位置で固定できる構成となっている。回転部２２は、左右移動部２１の上面において板面に垂直な回転軸Ｊ１を中心として回転し、所定の角度で固定できる構成となっている。
【００３１】
筐体６の後面は、図８に示すように、複数のネジ穴２５が一定間隔で設けられた取付板１６となっている。また、図７に示した固定部１９の後板１９ａには取付治具１７の全体を取付板１６に固定するためのネジ穴２６が設けられている。これにより、取付板１６の複数のネジ穴２５のうち、いずれのネジ穴２５を用いるかによって、筐体６に対する取付治具１７、すなわち表示ユニット４の位置を変えることができる。また、回転部２２の上面には、表示ユニット４の底板９を固定するためのネジ孔２７が設けられている。よって、回転部２２の上面に表示ユニット４を固定した状態で回転部２２を回転させることにより、表示ユニット４の向き、すなわちスクリーン８からの光の投射方向を変えることができる。
【００３２】
筐体６に対するフレネルレンズ５の位置は固定されているため、取付板１６のネジ穴２５を適宜選択することでフレネルレンズ５に対する表示ユニット４の相対位置を調整でき、フレネルレンズ５の光軸に対する表示ユニット４の光軸の位置を調整することができる。さらに、回転部２２の回転角度を適宜調整することでフレネルレンズ５に対する表示ユニット４の向きを調整でき、フレネルレンズ５の光軸に対する表示ユニット４の光軸の方向を調整することができる。
【００３３】
以下、上記構成のプロンプター１で空間像が生成される原理について説明する。
図９は、図２に示すプロンプター１を上側から見た図であり、プロンプター１の構成要素のうち、スクリーン８とフレネルレンズ５のみを取り出して示している。この例では、スクリーン８の光軸とフレネルレンズ５の光軸とは一致している。なお、スクリーン８の光軸とは、スクリーン８の投射面の中心を通り、スクリーン８の投射面に垂直な軸のことである。
【００３４】
ここで、スクリーン８からフレネルレンズ５までの距離をａ、フレネルレンズ５の焦点距離をｆとすると、フレネルレンズ５から生成される空間像Ｚまでの距離ｂは、ｂ＝ａ×ｆ／（ａ−ｆ）で求められる。すなわち、筐体６の前面のフレネルレンズ５から距離ｂだけ離れた位置に、スクリーン上の画像が空間像Ｚとして表示されることになる。また、光の射出側（講演者側）から見てスクリーン８の左側（図９の下側）からフレネルレンズ５の右端に向かった光線ｐ０はフレネルレンズ５で曲げられ、光線ｐ１となって図９の右側に向かう。同様に、光線ｑ０は光線ｑ１、光線ｒ０は光線ｒ１となり、空間像Ｚの位置ではスクリーン８の位置に対して像の左右が反転する。また、図９の奥行き方向に相当する像の上下方向についても、空間像Ｚの位置ではスクリーン８の位置に対して像が反転する。
【００３５】
したがって、表示ユニット４のスクリーン８上で上下左右が反転した画像を表示するようにプロジェクター１を設定しておけば、空間像Ｚの上下左右は正しく表示され、講演者は文字情報等を支障なく見ることができる。また、光の射出側から見てスクリーンの右側（図９の上側）からフレネルレンズ５の左端に向かった光線ｓ０，ｔ０，ｕ０についてもそれぞれ光線ｓ１，ｔ１，ｕ１となり、上記と同様である。なお、これらの光線はフレネルレンズ５の両端への光線を説明したものであり、実際の光線はフレネルレンズ５の全体を通って空間像Ｚの位置に結像するものである。
【００３６】
ここで、空間像Ｚを見る場合、空間像Ｚを生成する光線はフレネルレンズ５を通して来るものであるから、空間像Ｚの位置の奥側にフレネルレンズ５が見える位置でなければ空間像Ｚを見ることができない。すなわち、空間像Ｚの右端を見るには、フレネルレンズ５の右端と空間像Ｚの右端を結ぶ光線ｐ１とフレネルレンズ５の左端と空間像Ｚの右端を結ぶ光線ｕ１との範囲内でなければならない。同様に、空間像Ｚの左端を見るには、フレネルレンズ５の左端と空間像Ｚの左端を結ぶ光線ｓ１とフレネルレンズ５の右端と空間像Ｚの左端を結ぶ光線ｓ１との範囲内でなければならない。したがって、空間像Ｚの全体が見えるのは、光線ｐ１と光線ｓ１とが交差した後の領域（図９に斜線で示した領域）ということになる。以下、このような空間像Ｚの全体が見える領域のことを「適視範囲Ｔ」と称する。
【００３７】
図１０は、光の射出側（講演者側）から見てフレネルレンズ５に対してスクリーン８（表示ユニット４）を左側（図１０の下側）に移動させた場合の空間像Ｚの位置を示している。スクリーン８を移動させるということは、図９においてスクリーン８のサイズを大きくしたことと等価である。すなわち、空間像Ｚはスクリーン８上の像に対してｂ／ａの倍率のサイズとなるため、空間像Ｚは右側（図１０の上側）の方向に、スクリーン８の移動距離のｂ／ａ倍の位置に移動する。また、この場合の適視範囲は図９の場合と同様に考えられ、符号Ｔ１の領域となる。
【００３８】
図１１は、フレネルレンズ５に対してスクリーン８（表示ユニット４）を傾けた場合を示し、この例では光の射出側（講演者側）から見てスクリーン８の右端を奥側（図１１のスクリーン８の上端を左側）に、スクリーン８の左端を手前側（図１１のスクリーン８の下端を右側）に傾けた場合の空間像Ｚの位置を示している。この場合、シャインプルーフの法則で示されるように、フレネルレンズ５のレンズ面の延長線とスクリーン８の投射面の延長線との交点Ａを空間像Ｚの形成面の延長線が通ることになる。すなわち、空間像Ｚは、講演者側から見て空間像Ｚの右端が手前側（図１１の空間像Ｚの上端が右側）に、空間像Ｚの左端が奥側（図１１の空間像Ｚの下端が左側）に傾いて形成される。さらに、空間像Ｚは、スクリーン８の中心とフレネルレンズ５の中心とを結ぶ直線Ｌ１上に位置する。この場合の適視範囲は符号Ｔ２の領域となる。
【００３９】
以上の説明では、１つのフレネルレンズ５に対して１組の表示ユニット４が対応している例を挙げた。これに対して、１つのフレネルレンズ５に対して複数組（具体的には３組）の表示ユニット４が対応している例を図１２に示す。各表示ユニット４に対応する空間像は上記の表示原理に従って生成され、スクリーン８Ａ上の像は空間像ＺＡ、スクリーン８Ｂ上の像は空間像ＺＢ、スクリーン８Ｃ上の像は空間像ＺＣとして生成される。
【００４０】
例えば図１２に示したような各スクリーン８Ａ，８Ｂ，８Ｃの位置および角度は、前述したように、筐体６の取付板１６に対する取付治具１７の取り付け位置、および取付治具１７の位置調整、角度調整によって任意に設定することができる。この例では、スクリーン８Ａおよびスクリーン８Ｂはフレネルレンズ５の光軸に対して垂直に設置されているが、スクリーン８Ｃはフレネルレンズ５の光軸に対して傾けて設置されている。各空間像ＺＡ，ＺＢ，ＺＣの適視範囲は、それぞれ符号ＴＡ、符号ＴＢ、符号ＴＣの領域となる。
【００４１】
図１３には、このようにして形成される３つの空間像ＺＡ，ＺＢ，ＺＣとプロンプター１との位置関係を示す。図１４には、講演者Ｋから見た各空間像ＺＡ，ＺＢ，ＺＣの様子を示す。これらの図に示す例では、講演者Ｋは、中央の空間像ＺＢの奥側にフレネルレンズ５が見える位置に立っており、空間像ＺＢの全体を見ることができる。空間像ＺＡ，ＺＣも形成されてはいるが、この位置では講演者Ｋは見ることができない。したがって、講演者Ｋは、フレネルレンズ５に空間像ＺＡが重なる位置まで左側に移動すれば、空間像ＺＡを見ることができる。同様に、フレネルレンズ５に空間像ＺＣが重なる位置まで右側に移動すれば、空間像ＺＣを見ることができる。
【００４２】
図１２に示したように、空間像ＺＣは左端が講演者Ｋの手前側に傾いているため、講演者Ｋがフレネルレンズ５の方向を向いたとき、空間像ＺＣは空間像ＺＡに比べて講演者Ｋに正対する状態となる。したがって、例えば空間像ＺＡを見たときには横向きの台形歪みが気になったとしても、空間像ＺＣを見たときには横向きの台形歪みを感じにくくなる。そして、例えば３つの空間像ＺＡ，ＺＢ，ＺＣとして、それぞれに異なる原稿を表示させれば、講演者Ｋは立つ位置を移動して異なる原稿を見ながら講演を進めることができる。
【００４３】
なお、講演者Ｋは、適視範囲Ｔ内に立てば、それに対応した空間像Ｚの全体を見ることができる。しかしながら、講演者Ｋは、適視範囲Ｔ外で空間像Ｚの一部しかフレネルレンズ５と重ならない位置に立ったとしても、空間像Ｚのうち、フレネルレンズ５と重なった部分だけは見ることができる。したがって、空間像Ｚの見えた部分を目安として身体をいずれかの方向に少し移動させれば、空間像Ｚ全体が見えるようになるため、空間像Ｚの位置を探しやすい。
【００４４】
本実施形態のプロンプター１によれば、講演者Ｋは、フレネルレンズ５の光射出側から実像としての空間像Ｚを視認できるので、講演者Ｋが見る像の位置が従来のプロンプターに比べて近くなる。これにより、従来に比べて文字等の情報の大きさをスクリーン８上で小さくでき、多くの情報を表示することができる。その結果、表示画面を頻繁に切り替えることなく、表示する情報量を増やすことができ、講演者Ｋが複数の情報を選択的に見ながら講演を円滑に進めることができる。また、講演者Ｋが近視の場合でも表示する画像を見やすくすることができる。
【００４５】
特に本実施形態の場合、図１に示すように、講演者Ｋの近傍にハーフミラーを配置する必要がないため、聴衆Ｃから講演者Ｋの顔や姿が見やすく、講演者Ｋからも聴衆Ｃが見やすくなる。また、講演者Ｋが指し棒等を使用する場合でも、指し棒がハーフミラーにぶつかる心配がない。
【００４６】
また、空間像Ｚの位置を表示ユニット４の取付治具１７によって調整できるので、表示したい位置に空間像Ｚを容易に表示させることができる。そのため、講演の進行に応じて、必要となる情報を予め講演者の立ち位置に合わせて表示しておくことで、表示する空間像を切り替える頻度を少なくすることができる。例えば、講演者が他の大型スクリーン上の画像を指し示しながら説明を行うような場合、講演者がその画像を指し示しやすい立ち位置から見える位置に、その画像に関連する説明原稿等の情報を表示しておくことができる。
【００４７】
また、フレネルレンズ５を前面に設置した筐体６の内部に表示ユニット４を収納したため、スクリーン８やフレネルレンズ５の内側に入射する照明光などの影響を低減することができる。そのため、表示される空間像Ｚのコントラストの低下を抑えることができる。
【００４８】
なお、本実施形態では、３組の表示ユニット４を備え、３つの空間像ＺＡ，ＺＢ，ＺＣを表示する例を示したが、空間像の数はこれに限ることなく、任意に選択することができる。また、複数の空間像を左右方向に並べて表示する例を示したが、複数の空間像を上下方向に並べることもできる。
【００４９】
［第２実施形態］  
以下、本発明の第２実施形態について、図１５を用いて説明する。
本実施形態の基本構成は第１実施形態と共通であり、筐体の内部で光路を折り曲げている点が異なっている。
したがって、図１５において第１実施形態の図２と共通な構成要素には同一の符号を付し、説明を省略する。
【００５０】
本実施形態のプロンプター３１は、図１５に示すように、表示ユニット４と、フレネルレンズ５（結像レンズ）と、ミラー３２と、筐体３３と、を備えている。本実施形態では、取付板１６が筐体３３の底面をなしており、取付板１６の外面に脚部３４が設けられている。フレネルレンズ５が筐体３３の前面側の開口部３５に設置されている点は第１実施形態と同様である。この構成により、プロンプター３１は、脚部３４を下方に向けて床もしくは机の上等に置いて使用する形態となる。よって、表示ユニット４を構成するプロジェクター７の投射レンズが上方を向き、プロジェクター７は上方に向けて光を投射する。
【００５１】
プロジェクター７から射出される投射光の光路上にミラー３２が設けられている。このため、プロジェクター７からの投射光はスクリーン８上で結像された後、ミラー３２によってその光路を折り曲げられる。ミラー３２を経た光はフレネルレンズ５に入射し、フレネルレンズ５で結像されて講演者の前方に空間像が生成される点は第１実施形態と同様である。
【００５２】
本実施形態のプロンプター３１においても、表示画面を頻繁に切り替えることなく、表示する情報量を増やすことができるといった第１実施形態と同様の効果が得られる。さらに本実施形態では、スクリーン８からフレネルレンズ５に至る光の光路をミラー３２で折り曲げているため、筐体３３の奥行き方向の寸法を小さくすることができる。そのため、プロンプター３１を比較的狭い場所でも使用することができる。
【００５３】
［第３実施形態］  
以下、本発明の第３実施形態について、図１６を用いて説明する。
本実施形態のプロンプターの構成は第１実施形態と共通であり、表示ユニットの構成のみが異なっている。
【００５４】
第１、第２実施形態では、表示ユニットがプロジェクターとスクリーンで構成されていたのに対し、本実施形態では、図１６に示すように、表示ユニット３９がフラットパネルディスプレイ３８で構成されている。フラットパネルディスプレイ３８としては、液晶ディスプレイ、プラズマディスプレイ等を用いることができる。この種のフラットパネルディスプレイ３８が底板９に固定されている。すなわち、本実施形態の表示ユニット３９は、第１、第２実施形態においてスクリーンが設けられた位置に、スクリーンに代えて、フラットパネルディスプレイ３８が設けられたものである。その他の構成は第１、第２実施形態と同様である。
【００５５】
本実施形態のプロンプターにおいても、表示画面を頻繁に切り替えることなく、表示する情報量を増やすことができるといった第１、第２実施形態と同様の効果が得られる。なお、一般的にフラットパネルディスプレイは直視で見やすいように視野角が広く設計されている。しかしながら、本実施形態に適用する場合、例えばフラットパネルディスプレイ３８の前面側にフレネルレンズ等の凸レンズ系の光学素子を設け、射出される光線の角度を狭めるようにすれば、空間像の明るさを向上させることができる。
【００５６】
［第４実施形態］  
以下、本発明の第４実施形態について、図１７〜図２０を用いて説明する。
第１〜第３実施形態のプロンプターはハーフミラーを備えていない構成であったのに対し、本実施形態のプロンプターはハーフミラーを備えている点で第１〜第３実施形態と異なっている。
【００５７】
本実施形態のプロンプター４１は、図１７に示すように、講演会等の会場において講演者Ｋから見て演台３を跨いだ位置に設置されており、講演者Ｋと後述するハーフミラー４２との間の空間に空間像Ｚを形成するものである。講演者Ｋは、ハーフミラー４２の方向を見ることで空間像Ｚを見ることができ、講演の補助となる原稿の文字情報を空間像として見ながら講演を行うことができる。
【００５８】
プロンプター４１は、表示ユニット４３と、ミラー４４と、フレネルレンズ４５（結像レンズ）と、ハーフミラー４２（反射手段）と、を備えている。表示ユニット４３は、プロジェクター４６（投射型表示装置）と、スクリーン４７と、から構成されている。表示ユニット４３は床面Ｙの近傍に設置され、プロジェクター４６とスクリーン４７とは所定の間隔を空けて設置されている。プロジェクター４６からの投射光は、略水平方向に向けて射出され、スクリーン４７上で結像されて像が生成される。プロジェクター４６には、図示しないパーソナルコンピューターやカメラ等の機器が接続され、これらの機器から画像信号が入力される。プロジェクター４６では画像信号に基づいて画像が生成され、その画像がスクリーン４７に投射される。
【００５９】
スクリーン４７は、図１８に示すように、拡散シート１２（拡散板）の両面にフレネルレンズ１１がそれぞれ密着して貼り合わされたものであり、一種のリアスクリーンとして構成されている。スクリーン４７の平面形状は、例えば正方形でも良いし、プロジェクター４６から投射する画像のアスペクト比に対応させた長方形でも良い。フレネルレンズ１１は複数のプリズム１３が微小な間隔で同心円状に設けられた構成であり、これら複数のプリズム１３が全体として凸レンズを構成している。
【００６０】
プロジェクター４６からの投射光が図１８の左側からスクリーン４７に入射すると、入射前に拡散光線であった光が入射側のフレネルレンズ１１によって集束され、平行光線に近い形状で拡散シート１２に入射する。拡散シート１２では投射光の像が結像されるとともに、所定の拡散角度で光が拡散し、さらに射出側のフレネルレンズ１１によって全体の光線が広がりすぎないように調整されて射出される。なお、この例ではフレネルレンズ１１を２枚備えたスクリーン４７を例示したが、フレネルレンズを１枚のみ備えたスクリーンを用いても良い。ただし、フレネルレンズ１１を２枚備えたスクリーン４７を用いた場合、フレネルレンズが１枚の場合に比べて各フレネルレンズ１１の焦点距離を長くできるため、各プリズム１３の頂角を大きくすることができる。そのため、特にフレネルレンズ１１の周縁部に光が入射する際、入射角が大きすぎて反射光が生じるのを抑えやすくなる。
【００６１】
ここで、スクリーン４７からの射出光はフレネルレンズ４５にさえ入射すれば良いため、本実施形態のスクリーン４７の場合、投射面上の像を直接鑑賞する一般のプロジェクター用スクリーンの場合と比べて視野角を十分に狭くすることができる。これにより、スクリーンゲインを高くすることができる。例えば、一般のスクリーンの視野角が１２０度程度であるのに対し、本実施形態のスクリーン４７の視野角は例えば２５度程度で良い。したがって、本実施形態ではスクリーンゲインを従来一般の２３倍程度に高くすることができる。そのため、同じ明るさを得るのに必要なプロジェクター４６の光出力は従来一般の１／２３程度で済み、消費電力の低減が図れる。
【００６２】
さらに、スクリーン４７のサイズも例えば１５インチ程度で良いため、本実施形態のプロジェクター４６の光出力は、１００インチ程度のスクリーンに使用する従来のプロジェクターの光出力の１／４４程度で済む。すなわち、スクリーン４７の視野角を狭くできる効果とサイズを小さくできる効果を合わせると、本実施形態のプロジェクター４６の光出力は従来のプロジェクターの光出力の１／１０００程度で済む。実際には、フレネルレンズ４５やハーフミラー４２の効率を考慮する必要があるが、それらを１／１０としても、プロジェクター４６の光出力は従来のプロジェクターの光出力の１／１００程度で良い。したがって、プロジェクター４６として、例えば発光ダイオード（ＬＥＤ）を光源とした小型プロジェクターを使用することができる。
【００６３】
図１７に示すように、スクリーン４７から射出された光の光路上にミラー４４が設置されている。このミラー４４により、スクリーン４７からの射出光の光路は鉛直方向上方に折り曲げられる。また、ミラー４４で反射した光の光路上にフレネルレンズ４５が設置されている。フレネルレンズ４５は、図１９（Ａ）、（Ｂ）に示すように、微小な間隔で同心円状に設けられた複数のプリズム４８を有している。フレネルレンズ４５の基本構成はスクリーン４７の一部を構成する上記のフレネルレンズ１１と同様であるが、全体の寸法、各プリズムの寸法や焦点距離が異なっている。スクリーン４７からの射出光はフレネルレンズ４５によって結像され、スクリーン４７上の像の空間像が実像として生成される。
【００６４】
図１７に示すように、フレネルレンズ４５から射出された光の光路上で、フレネルレンズ４５と空間像Ｚとの間にハーフミラー４２が設置されている。このハーフミラー４２により、フレネルレンズ４５から鉛直方向上方に射出された光が反射され、光路は概ね水平方向（講演者Ｋ側）に折り曲げられる。これにより、講演者Ｋとハーフミラー４２との間の空中に空間像Ｚが実像として形成される。講演者Ｋがハーフミラー４２の方向を見ると、空間像Ｚが空中に浮かんで見えることになる。ここで見える空間像Ｚはスクリーン４７を直接見た場合と比べて上下左右が反転した像となる。したがって、プロジェクター４６で予め上下左右を反転させた像を作っておくことにより、講演者Ｋは元のパーソナルコンピューターやカメラ等で生成された画像をそのまま見ることができる。
【００６５】
ここで、生成される空間像Ｚについて、図２０を用いて説明する。
図２０は、図１７からミラー４４とハーフミラー４２を取り除き、プロンプター４１の構成を直線系で表したものである。この例では、スクリーン４７の光軸とフレネルレンズ４５の光軸とは一致している。なお、スクリーン４７の光軸とは、スクリーン４７の投射面の中心を通り、スクリーン４７の投射面に垂直な軸のことである。
【００６６】
ここで、スクリーン４７からフレネルレンズ４５までの距離をａ、フレネルレンズ４５の焦点距離をｆとすると、フレネルレンズ４５から空間像Ｚまでの距離ｂは、ｂ＝ａ×ｆ／（ａ−ｆ）で求められる。すなわち、フレネルレンズ４５から距離ｂだけ離れた位置に、スクリーン４７上の画像が空間像Ｚとして表示されることになる。また、スクリーン４７上の像のサイズに対する空間像Ｚのサイズの拡大率ｍは、ｍ＝ｂ／ａとなる。これらの値は、必要とするプロンプターの全体のサイズに応じて適宜決定すればよい。
【００６７】
スクリーン４７上の点Ｐａ、点Ｑａ、点Ｒａは、それぞれ点Ｐｂ、点Ｑｂ、点Ｒｂとして空間像Ｚの位置に結像される。空間像Ｚの位置での各点Ｐｂ、Ｑｂ、Ｒｂの光線は、フレネルレンズ４５の全体を通して結像されているため、各点Ｐｂ、Ｑｂ、Ｒｂにおける最も外側の光線は図２０に示すような広がりを持つ。よって、点Ｐｂ、点Ｑｂ、点Ｒｂを通った光線の広がりの重なる領域から空間像Ｚを見れば、空間像Ｚの全体が見えることになるため、この領域が適視範囲Ｔとなる。すなわち、適視範囲Ｔが講演者の眼の位置に対応するようにすれば、講演者は空間像Ｚの全体を見ることができる。なお、図１７は図２０の構成にミラー４４とハーフミラー４２を挿入したものであり、上記の結像関係はそのまま保たれる。
【００６８】
本実施形態のプロンプター４１によれば、図１７に示したように、空間像Ｚがハーフミラー４２よりも講演者Ｋ側に実像として形成されるため、ハーフミラー４２を演台３から離れた位置に設置しても、講演者Ｋが空間像Ｚを見にくくなることが避けられる。一方、従来のプロンプターでは、図２５に示すように、講演者Ｋは、ハーフミラー１４２の奥にある、自身からかなり遠い位置に形成された虚像Ｑを見ることになるため、大きい文字で原稿を表示せざるを得なかった。そのため、表示する情報量を増やすためには表示画面を頻繁に切り替えなければならないという問題があった。
【００６９】
図１７と図２５を比較すると明らかなように、本実施形態のプロンプター４１によれば、講演者Ｋが見る空間像Ｚの位置が従来のプロンプターに比べてはるかに近くなる。これにより、従来に比べて文字等の情報の大きさをスクリーン４７上で小さくでき、多くの情報を表示することができる。その結果、表示画面を頻繁に切り替えることなく、表示する情報量を増やすことができ、講演者Ｋが円滑に講演を進めることができる。また、講演者Ｋが近視の場合でも表示する画像を見やすくすることができる。
【００７０】
逆に言えば、本実施形態のプロンプター４１によれば、講演者Ｋが文字等の情報を十分に見える範囲で、従来よりもハーフミラー４２を講演者Ｋから遠い位置に配置することができる。そのため、聴衆が講演者Ｋを見る場合にハーフミラー４２が邪魔になりにくく、講演者Ｋの顔や姿を直接見やすくなる。また、例えば講演者Ｋが他の大型スクリーンや掲示物等を指し棒で指し示しながら説明するような場合、指し棒がハーフミラー４２にぶつかるのを避けることができる。
【００７１】
また、講演者Ｋはハーフミラー４２の手前に結像した実像である空間像Ｚを見るため、眼の焦点は実像の位置に合うことになる。したがって、ハーフミラー４２に汚れがある場合にも、像を見るのに邪魔になりにくい。
さらに、スクリーン４７の拡散角度を小さくできるので、プロジェクター４６の光出力が十分小さくても明るい画像が得られる。さらに、プロジェクター４６を小型化し、光源による排熱を小さくすることができるため、排熱による騒音も小さくすることができる。
【００７２】
［第５実施形態］  
以下、本発明の第５実施形態について、図２１、図２２を用いて説明する。
本実施形態の基本構成は第４実施形態と同様であり、各構成要素を収容する筐体を備えた点が異なっている。
したがって、図２１において第４実施形態の図１７と共通な構成要素には同一の符号を付し、説明を省略する。
【００７３】
本実施形態のプロンプター５１は、図２１に示すように、プロジェクター４６とスクリーン４７とからなる表示ユニット４３と、ミラー４４と、フレネルレンズ４５（結像レンズ）と、ハーフミラー４２と、筐体５２と、を備えている。筐体５２の内部に、表示ユニット４３とミラー４４とフレネルレンズ４５とが収容され、筐体５２の上部に、ハーフミラー４２が固定されている。表示ユニット４３とミラー４４とフレネルレンズ４５とは筐体５２に固定されており、これら構成要素相互の位置関係が固定されている。
【００７４】
筐体５２の上面の講演者Ｋ側の位置には、空間像Ｚの位置を示す指標５３が設けられている。指標５３は、図２２に示すように、講演者Ｋ側から見てＴ字状の形状であり、鉛直方向に延びる棒状部５３ａと、棒状部５３ａの先端に設けられた水平方向に延びる棒状部５３ｂとを有している。棒状部５３ｂの位置は空間像Ｚの形成位置に略一致している。
【００７５】
本実施形態のプロンプター５１においても、表示する情報が見やすく、情報量を増やすことができるといった第４実施形態と同様の効果が得られる。また、筐体５２によって表示ユニット４３とフレネルレンズ４５との位置関係が固定されるとともに、表示ユニット４３とフレネルレンズ４５を保護することができ、取り扱いがしやすいプロンプターを構成できる。
【００７６】
また、空間像Ｚの位置を示す指標５３が備えられているため、指標５３を目安として講演者Ｋが空間像Ｚの位置に眼の焦点を合わせやすい。これにより、例えば講演者Ｋが空間像Ｚ以外の場所を見ている状態から空間像Ｚを見ようとする場合、空間像Ｚの位置を即座に探すことができる。
【００７７】
また、指標５３が棒状の部材で構成されているため、目立ちにくく、聴衆が講演者Ｋを見るのに邪魔になりにくい。さらに、指標５３が筐体５２の一部に固定されているため、指標５３は常に空間像Ｚの形成位置からずれることがなく、筐体５２を移動させても空間像Ｚの位置を容易に把握することができる。なお、指標５３の形状については、本実施形態に限定されることなく、種々の形状とすることが可能である。
【００７８】
［第６実施形態］  
以下、本発明の第６実施形態について、図２３を用いて説明する。
本実施形態の基本構成は第５実施形態と類似しているが、プロジェクターが演台に内蔵された点が異なっている。
図２３において、第５実施形態の図２１と共通な構成要素には同一の符号を付し、説明を省略する。
【００７９】
本実施形態のプロンプター５６は、図２３に示すように、プロジェクター４６とスクリーン４７とからなる表示ユニット４３と、ミラー４４と、フレネルレンズ４５（結像レンズ）と、ハーフミラー４２と、筐体５７と、を備えている。ただし、本実施形態においては、表示ユニット４３のうち、プロジェクター４６は演台３に内蔵され、スクリーン４７は筐体５７に内蔵されている。
【００８０】
プロジェクター４６は演台３の内部に固定されており、演台３の前面にはプロジェクター４６からの投射光を射出させるための開口部３ａが設けられている。演台３の底面には、演台３を移動させるためのキャスター５８が設けられている。
【００８１】
一方、筐体５７にはスクリーン４７よりも後段の構成要素が内蔵されており、これらが筐体５７に固定されている。筐体５７には、演台３の開口部３ａに対向する位置にプロジェクター４６からの投射光を入射させるための開口部５７ａが設けられている。筐体５７の底面には、筐体５７を移動させるためのキャスター５９が設けられている。また、筐体５７の下部には、位置決め部材６０が設けられている。位置決め部材６０は、筐体５７から演台３の方向に突出して開口部５７ａを囲む筒状の部材で構成されている。
【００８２】
本実施形態のプロンプター５６においても、表示する情報が見やすく、情報量を増やすことができるといった第４、第５実施形態と同様の効果が得られる。
特に本実施形態の場合、演台３と筐体５７とは分離できる構造であるため、例えばプロンプター５６を使用しない場合には演台３と筐体５７を別個に移動し、容易に片付けることができる。また、プロンプター５６を使用する場合には、プロジェクター４６からの投射光がスクリーン４７上に確実に結像されるように、演台３と筐体５７とを所定の位置関係に配置する必要がある。このとき、位置決め部材６０の先端を演台３に当接させることで演台３と筐体５７とが位置決めされるため、プロジェクター４６とスクリーン４７との位置決めを簡単に行うことができる。
【００８３】
また、位置決め部材６０が開口部５７ａを覆っているため、位置決め部材６０によって筐体５７の内部への外光の入射を防ぐことができる。その結果、表示される空間像Ｚのコントラストを向上させることができる。ただし、空間像Ｚのコントラスト向上効果を求めないのであれば、必ずしも位置決め部材が開口部を覆う形状とする必要はなく、位置決め部材の形状や位置を適宜決定すればよい。
【００８４】
［第７実施形態］  
以下、本発明の第７実施形態について、図２４を用いて説明する。
本実施形態の基本構成は第５、第６実施形態と類似しているが、筐体が天井に設置された点が異なっている。
図２４において、第５実施形態の図２１と共通な構成要素には同一の符号を付し、説明を省略する。
【００８５】
本実施形態のプロンプター６１は、図２４に示すように、プロジェクター４６とスクリーン４７とからなる表示ユニット４３と、ミラー４４と、フレネルレンズ４５（結像レンズ）と、ハーフミラー４２と、筐体６２と、を備えている。本実施形態においては、ハーフミラー４２を除く構成要素、すなわち、表示ユニット４３、ミラー４４、およびフレネルレンズ４５が筐体６２に内蔵され、筐体６２が講演者Ｋの頭上にあたる天井Ｗに設置されている。また、ハーフミラー４２は、支持具６３を介して演台３に固定されている。
【００８６】
本実施形態の場合、ミラー４４によってスクリーン４７からの射出光の光路は鉛直方向下方に折り曲げられる。ミラー４４で反射した光の光路上にはフレネルレンズ４５が設置されており、スクリーン４７からの射出光はフレネルレンズ４５によって結像される。フレネルレンズ４５の鉛直方向下方にあたるフレネルレンズ４５からの射出光の光路上にハーフミラー４２が配置されており、ハーフミラー４２によって光の光路は概ね水平方向に折り曲げられる。このようにして、スクリーン４７上の像の空間像Ｚが、実像としてハーフミラー４２と講演者Ｋとの間の空中に生成される。
【００８７】
筐体６２には、鉛直方向下方に向けてレーザー光もしくはスポットライトを投射するマーカー投射部６４が、図２４の紙面に垂直な方向に２つ設けられている。マーカー投射部６４は、筐体６２に対する演台３の位置を決めるための光を投射する。一方、演台３には、マーカー投射部６４からの光の照射位置に対応して、位置決め用マーク６５が図２４の紙面に垂直な方向に２箇所設けられている。２つのマーカー投射部６４からの光が２箇所の位置決め用マーク６５にそれぞれ照射されるように、キャスター５８によって演台３の位置や向きを調整すれば、筐体６２に対してハーフミラー４２を正しい位置に設置することができる。なお、ハーフミラー４２を位置合わせした後はマーカー投射部６４からの光の投射を停止すれば良い。
【００８８】
また、演台３に対して支持具６３を保持するための保持部６６には、支持具６３を上下移動可能とする機構が備えられている。これにより、例えば空間像Ｚの位置を高くしたい場合には、支持具６３を上昇させてハーフミラー４２の位置が高くなるように調整すればよい。さらに、保持部６６には、支持具６３を水平移動可能とする機構が備えられている。これにより、フレネルレンズ４５からの投射光がハーフミラー４２に入射する位置を微調整することができる。なお、ハーフミラー４２の水平方向の位置を変えると、空間像Ｚの高さも変わる。その場合には、保持部６６の上下移動機構を用いて空間像Ｚの高さを再調整すれば良い。
【００８９】
本実施形態のプロンプター６１においても、表示する情報が見やすく、情報量を増やすことができるといった第４〜第６実施形態と同様の効果が得られる。また、演台３の前に筐体６２を設置する必要がないため、演台３の周辺を広く使うことができる。また、演台３の前にスペースが取れないような場合にも好適に用いることができる。
【００９０】
本実施形態の場合、プロンプター６１の筐体が天井Ｗに設置されるため、フレネルレンズ４５の周辺が聴衆から見える虞がある。しかしながら、フレネルレンズ４上では像は結像しておらず、さらにフレネルレンズ４５から射出される光がハーフミラー４２以外の部分に広がることはほとんどない。そのため、聴衆からフレネルレンズ４５が直接見えたとしても、表示されている空間像Ｚが見えることはない。
【００９１】
なお、本発明の技術範囲は上記実施形態に限定されるものではなく、本発明の趣旨を逸脱しない範囲において種々の変更を加えることが可能である。
例えば上記第１〜第３実施形態において、電動アクチュエーター等の駆動手段を用いて表示ユニットの取付治具をリモートコントロールできる構成としても良い。そのようにすれば、講演者の立ち位置で実際の空間像を見ながら空間像の位置や向きを調整することができる。さらに、プロジェクターの投射レンズの近傍にフォトセンサーを設け、表示ユニットの取付治具を自動的に移動可能に構成しても良い。そのようにすれば、講演者が空間像を表示させたい位置に発光素子を置き、発光素子の射出光を筐体の方に向ければ、表示ユニットの位置を自動的に最適化できるように構成することができる。
【００９２】
その他、プロンプターの各構成要素の形状、数、配置等の具体的な構成は、上記実施形態に限ることなく、適宜変更が可能である。
【符号の説明】
【００９３】
１，３１，４１，５１，５６，６１…プロンプター、４，３９，４３…表示ユニット、５，４５…フレネルレンズ（結像レンズ）、６，３３，５２，５７，６２…筐体、７，４６…プロジェクター（投射型表示装置）、８，８Ａ，８Ｂ，８Ｃ，４７…スクリーン、１１…フレネルレンズ、１２…拡散シート（拡散板）、１７…取付治具（光軸位置調整手段、光軸方向調整手段）、３８…フラットパネルディスプレイ、４２…ハーフミラー（反射手段）、５３…指標、Ｚ，ＺＡ，ＺＢ，ＺＣ…空間像。
【図１】
0005862752.tif 000002
【図２】
0005862752.tif 000003
【図３】
0005862752.tif 000004
【図４】
0005862752.tif 000005
【図５】
0005862752.tif 000006
【図６】
0005862752.tif 000007
【図７】
0005862752.tif 000008
【図８】
0005862752.tif 000009
【図９】
0005862752.tif 000010
【図１０】
0005862752.tif 000011
【図１１】
0005862752.tif 000012
【図１２】
0005862752.tif 000013
【図１３】
0005862752.tif 000014
【図１４】
0005862752.tif 000015
【図１５】
0005862752.tif 000016
【図１６】
0005862752.tif 000017
【図１７】
0005862752.tif 000018
【図１８】
0005862752.tif 000019
【図１９】
0005862752.tif 000020
【図２０】
0005862752.tif 000021
【図２１】
0005862752.tif 000022
【図２２】
0005862752.tif 000023
【図２３】
0005862752.tif 000024
【図２４】
0005862752.tif 000025
【図２５】
0005862752.tif 000026